(57)【要約】      （修正有）【課題】ペルチェ素子の身体側の金属から反対側の金属に移動した熱による反対側金属の過剰な加熱または吸熱を防止でき、またペルチェ素子を身体に押し当てたときの使用感が高まる身体冷暖房装置、治療器を提供する。【解決手段】２種類の金属を積層したペルチェ素子１１に、電流を流すことで身体を冷却または加熱する身体冷暖房装置１０において、ペルチェ素子の一方の金属１１ａ側の面に、身体に押し当てられる熱伝導性を有した弾性シート材１３が固定され、残った方の金属１１ｂ側の面に、この残った方の金属１１ｂとの間で熱交換を行う熱媒体２０を収納する熱交換パック２１を着脱自在に設けた。【選択図】図１
2018000838.tif 000002
【特許請求の範囲】
【請求項１】
２種類の金属を積層したペルチェ素子に、電源から電流を流すことにより身体を冷却または加熱する身体冷暖房装置において、
前記ペルチェ素子の一方の金属側の面に、身体に押し当てられる熱伝導性を有した弾性シート材が固定され、
前記ペルチェ素子の残った方の金属側の面に、この残った方の金属との間で熱交換を行う熱媒体を収納する熱交換パックを着脱自在に設けた身体冷暖房装置。
【請求項２】
前記弾性シート材は、その身体側の面に湾曲自在な熱伝導性金属が配置され、
該熱伝導性金属の表面に、衝撃焼結被覆法によりセラミックスがコーティングされた請求項１に記載の身体冷暖房装置。
【請求項３】
請求項１または請求項２に記載の身体冷暖房装置と、
該身体冷暖房装置を身体に着脱自在に取り付ける装着ベルトとを備えた治療器であって、
前記装着ベルトは、
身体に巻き付けられて、長さ方向に直交する断面が袋状のベルト本体と、
前記身体冷暖房装置に長さ方向の中間部が取り付けられて、その長さ方向の両端部が前記ベルト本体の両側部分から突出状態で、該ベルト本体の内部空間にスライド自在に収納される装置横移動用ベルトとを有した治療器。
【発明の詳細な説明】
【技術分野】
【０００１】
この発明は、身体冷暖房装置および治療器、詳しくはペルチェ素子を利用し、身体を冷却または加熱する身体冷暖房装置および治療器に関する。
【背景技術】
【０００２】
近年、２種類の金属の接合部に電流を流すことにより、一方の金属から他方の金属に熱が移動するペルチェ素子を利用し、身体を冷却または加熱する身体冷暖房装置が開発されている。
しかしながら、ペルチェ素子は、移動させる熱以上に素子自体の放熱量が大きいため、冷却メカニズムとしては電力効率が低い。また、加熱（排熱）側を十分に冷却せずに負荷をかけ続ければ、吸熱側の冷却効果が低下するばかりでなく、素子自体が破損、焼損するおそれもあった。
そこで、これを回避する従来技術として、例えば、特許文献１に開示された加熱側にヒートシンクを固定したり、その加熱側に電動ファンからの風を当てることが知られている。
【先行技術文献】
【特許文献】
【０００３】
【特許文献１】特開２００８−３１５８１号公報
【発明の開示】
【発明が解決しようとする課題】
【０００４】
しかしながら、ヒートシンクを利用した特許文献１の開示技術では、ペルチェ素子の加熱側の冷却効果が小さく、素子の破損や焼損のおそれが残った。
また、電動ファンによってこの加熱側を冷却する技術では、ペルチェ素子の電源の電力を消費する。その結果、ペルチェ素子の使用時間が短くなっていた。なお、ペルチェ素子を身体の冷却に利用したときのこれらの課題は、ペルチェ素子を身体の加熱に利用したときに、これらとは反対の現象として発生していた。
さらに、特許文献１の身体冷暖房装置にあっては、ペルチェ素子の身体側（吸熱側）に、剛体の伝熱部材が分離不能に固定されていた。そのため、身体冷暖房装置の使用時、固い伝熱部材が身体に押し当てられることによりこの装置が肌にフィットせず、使用感が悪いものとなっていた。
【０００５】
そこで、発明者は鋭意研究の結果、ペルチェ素子の一方の金属側の面に、身体に押し当てられる熱伝導性を有した弾性シート材を取り付けるとともに、ペルチェ素子の残った方の金属側の面に、この残った方の金属との間で熱交換を行う熱媒体を収納した熱交換パックを着脱自在に取り付けるようにすれば、上述した課題は全て解消されることを知見し、この発明を完成させた。
【０００６】
すなわち、この発明は、ペルチェ素子の身体側とは反対側の金属の過剰な加熱または過剰な吸熱を防止することができ、またペルチェ素子を身体に押し当てたときの使用感も高めることができる身体冷暖房装置および治療器を提供することを目的としている。
【課題を解決するための手段】
【０００７】
請求項１に記載の発明は、２種類の金属を積層したペルチェ素子に、電源から電流を流すことにより身体を冷却または加熱する身体冷暖房装置において、前記ペルチェ素子の一方の金属側の面に、身体に押し当てられる熱伝導性を有した弾性シート材が固定され、前記ペルチェ素子の残った方の金属側の面に、この残った方の金属との間で熱交換を行う熱媒体を収納する熱交換パックを着脱自在に設けた身体冷暖房装置である。
【０００８】
請求項１に記載の発明によれば、ペルチェ素子の一方の金属側の面に、熱伝導性を有した弾性シート材を固定したため、ペルチェ素子を身体に押し当てた際、弾性シート材がその押し当てられた身体箇所の湾曲に合わせて弾性変形する。これにより、身体冷暖房装置の使用感を高めることができる。
また、身体冷暖房装置の使用時、身体に押し当てられるペルチェ素子の身体側の金属からその反対側の金属に移動する熱を熱交換パックの熱媒体との間で熱交換する。その結果、その移動した熱による反対側の金属の過剰な加熱、または、過剰な吸熱を防止することができる。
【０００９】
ここでいう身体冷暖房装置とは、身体の一部分に直接または衣服を介してペルチェ素子を押し当て、この状態で、ペルチェ素子を構成する２種類の金属（金属板）の接合部に、電源からの電流を流すことにより身体を冷却または加熱する装置である。
ペルチェ素子は、ペルチェ効果により電気エネルギーを熱エネルギーに変換する素子である。
ペルチェ素子の身体側の金属の温度は、温度コントローラにより制御することができる。例えば、加熱側の金属が３１℃〜３４℃、吸熱側の金属が１８℃〜２２℃に制御する。ただし、これには限定されない。
【００１０】
２種類の金属は限定されない。例えば、Ｐ型熱電半導体とＮ型熱電半導体などを採用することができる。Ｐ型熱電半導体としては、例えば、Ｔｅ(テルル)−Ｓｂ(アンチモン)−Ｂｉ（ビスマス）系の化合物半導体などを採用することができる。また、Ｎ型熱電半導体としては、例えば、Ｔｅ(テルル)−Ｓｂ(アンチモン)−Ｓｅ（セレン）系の化合物半導体を採用することができる。
電源としては、電池（バッテリ）または電源アダプタを介して利用される商用電源（何れも直流電源）を採用することができる。
熱伝導性を有した弾性シート材は、単体でもよいし、熱伝導性を有した複数の弾性シートを重ね合わせた複合体でもよい。例えば、湾曲自在な金属薄板（アルミニウム板など）をふたつに折り曲げてクッションシートを挟み込んだものなどを採用することができる。
【００１１】
熱媒体の種類は任意である。例えば、水、アルコール、オイルなどを採用することができる。
熱交換パックとしては、例えば、各種のプラスチック、各種の金属からなる容器を採用することができる。熱交換パックは剛体の容器でも、袋体でもよい。
身体冷暖房装置は、身体（肌）に直接装着しても、衣服を介して間接的に装着してもよい。
身体冷暖房装置の身体への装着方法としては、例えば、粘着テープによる貼着、ベルトによる巻き付けなどを採用することができる。
【００１２】
請求項２に記載の発明は、前記弾性シート材は、その身体側の面に湾曲自在な熱伝導性金属が配置され、該熱伝導性金属の表面に、衝撃焼結被覆法によりセラミックスがコーティングされた請求項１に記載の身体冷暖房装置である。
【００１３】
請求項２に記載の発明によれば、熱伝導性金属の表面にはセラミックスがコーティングされているため、装置使用時、仮に金属アレルギーの使用者が弾性シート材の身体側の面を直接肌に押し当てても、金属アレルギーを発症しにくい。
また、熱伝導性金属のコーティング法として衝撃焼結被覆法を採用したため、被覆材料の組織をほとんど壊さず、昇華、分解、変態しない皮膜を熱伝導性金属に形成することができる。
【００１４】
熱伝導性金属（金属板）の種類は任意である。例えば、アルミニウム、銅などを採用することができる。
セラミックスの種類は任意である。例えば、酸化シリコン（ＳｉＯ２）、酸化チタン（ＴｉＯ２）などを採用することができる。
衝撃焼結被覆法（ＣＡＳＰ）とは、２０００℃〜３０００℃の低温処理により、被覆材料の組織を壊さず皮膜を形成可能なコーティング法である。この衝撃焼結被覆法では、各種のセラミックス微粉末の被覆材料を使用し、その加熱温度と粒子速度とを制御することで、要求機能特性にあった安定性の高い皮膜を形成することができる。これによれば、厚さ１００μｍまでのコーティングが可能となる。
【００１５】
請求項３に記載の発明は、請求項１または請求項２に記載の身体冷暖房装置と、該身体冷暖房装置を身体に着脱自在に取り付ける装着ベルトとを備えた治療器であって、前記装着ベルトは、身体に巻き付けられて、長さ方向に直交する断面が袋状のベルト本体と、前記身体冷暖房装置に長さ方向の中間部が取り付けられて、その長さ方向の両端部が前記ベルト本体の両側部分から突出状態で、該ベルト本体の内部空間にスライド自在に収納される装置横移動用ベルトとを有した治療器である。
【００１６】
請求項３に記載の発明によれば、治療器の使用時、患部に身体冷暖房装置をあてがって装着ベルトを身体に巻き付ける。その際、ベルト本体の両側部分から突出している装置横移動用ベルトの両端部を左右の手で握り、この装置横移動用ベルトを右左に引っ張って身体冷暖房装置を横移動させることにより、身体冷暖房装置を患部に正確に位置合わせすることができる。
【００１７】
装着ベルト（ベルト本体、装置横移動用ベルトも同じ）の素材としては、例えば、各種の天然皮革、合成皮革などを採用することができる。
ベルト本体とは、装着ベルトの本体部分を構成して、長さ方向に直交する断面が袋状となったベルトである。断面が袋状であるため、ベルト本体の身体冷暖房装置側の面には、その全長にわたり横長な袋口部が形成されている。身体冷暖房装置は、この袋口部を介して、装置横移動用ベルトに取り付けられる。
ここでいう"袋状"としては、例えば、リップ付溝形鋼状、Ｃ字形状などを採用することができる。ベルト本体の両端部には、装置横移動用ベルトの対応する端部を外方へ引き出すため、一対のベルト通し口が配設されている。
【００１８】
装置横移動用ベルトは、各ベルト通し口から両端部が突出している。使用時には、これらの端部を握って所定方向へ引くことにより、身体冷暖房装置をベルト本体、ひいては装置ベルトの長さ方向へ移動させる。
ここでいう治療器としては、例えば、冷温器の他、磁気治療器、電気治療器(低周波治療器、ラジオ波治療器、高周波治療器を含む)などを採用することができる。この治療器には基本ツールとして身体冷暖房装置が搭載されているため、磁気治療器や電気治療器は、それぞれ冷温機能を備えた磁気治療器等となる。
【発明の効果】
【００１９】
請求項１に記載の身体冷暖房装置によれば、身体冷暖房装置の使用時、身体に押し当てられるペルチェ素子の身体側の金属からその反対側の金属に移動する熱を熱交換パックの熱媒体との間で熱交換する。その結果、その移動した熱による反対側の金属の過剰な加熱、または、過剰な吸熱を防止することができる。
また、ペルチェ素子の一方の金属側の面に、熱伝導性を有した弾性シート材を固定しているため、ペルチェ素子を身体に押し当てた際、弾性シート材がその押し当てられた身体箇所の湾曲に合わせて弾性変形する。これにより、身体冷暖房装置の使用感を高めることができる。
【００２０】
特に、請求項２に記載の身体冷暖房装置によれば、熱伝導性金属の表面にセラミックスがコーティングされているため、装置使用時、仮に金属アレルギーの使用者が、弾性シート材の身体側の面を直接肌に押し当てても、金属アレルギーを発症しにくい。
また、熱伝導性金属のコーティング法として衝撃焼結被覆法を採用したため、被覆材料の組織をほとんど壊さず、昇華、分解、変態しない皮膜を熱伝導性金属に形成することができる。
【００２１】
さらに、請求項３に記載の治療器によれば、治療器の使用時、治療したい患部に身体冷暖房装置をあてがい、この状態のまま装着ベルトを身体に巻き付ける。その際、ベルト本体の両側部分から突出している装置横移動用ベルトの両端部を左右の手で握り、この装置横移動用ベルトを右左に引っ張って身体冷暖房装置を横移動させる。これにより、身体冷暖房装置を患部に正確に位置合わせして、患部に冷温治療などを施すことができる。
【図面の簡単な説明】
【００２２】
【図１】この発明の実施例１に係る身体冷暖房装置の拡大断面図である。
【図２】この発明の実施例１に係る身体冷暖房装置の電気系統のブロック図である。
【図３】この発明の実施例２に係る治療器の全体斜視図である。
【図４】この発明の実施例２に係る治療器の要部拡大断面図である。
【図５】(ａ)は、この発明の実施例２に係る治療器の使用状態の正面図である。（ｂ）は、この発明の実施例２に係る治療器の使用状態の背面図である。
【図６】この発明の実施例３に係る治療器の背面図である。
【図７】この発明の実施例３に係る治療器の要部断面図である。
【図８】(ａ)は、この発明の実施例３に係る治療器の使用状態の正面図である。（ｂ）は、この発明の実施例３に係る治療器の使用状態の背面図である。
【発明を実施するための形態】
【００２３】
以下、この発明の実施例を、図面を参照して具体的に説明する。
【実施例】
【００２４】
図１において、１０はこの発明の実施例１に係る身体冷暖房装置で、この身体冷暖房装置１０は、ペルチェ素子１１に、バッテリ（電源）Ｂから電流を流すことにより身体を冷却または加熱するものである。
以下、身体冷暖房装置１０を具体的に説明する。
図１に示すように、ペルチェ素子１１は、Ｔｅ−Ｓｂ−Ｂｉ系のＰ型熱電半導体（ここでは吸熱側金属）１１ａと、Ｔｅ−Ｓｂ−Ｓｅ系のＮ型熱電半導体（ここでは加熱側金属）１１ｂとを積層した矩形状の板である。
【００２５】
ペルチェ素子１１のＰ型熱電半導体１１ａの表面（外面）には、熱伝導両面テープ１２を介して、身体に押し付けられる熱伝導性を有した矩形状の弾性シート材１３が貼着されている。
弾性シート材１３は、ペルチェ素子１１より大判なウレタン製のクッションシート１４を芯材とし、これを湾曲自在で横長矩形状の厚さ１ｍｍの身体側アルミニウム板 (熱伝導性金属)１５をふたつ折りしたもので挟み込んだ構成を有している。身体側アルミニウム板１５の表面（外面）には、衝撃焼結被覆法により、金属アレルギーを防止する酸化チタン（ＴｉＯ２）からなるセラミックス１６が、厚さ１００μｍでコーティングされている。なお、セラミックス１６のコーティングに代えて、天然繊維または合成繊維からなる図示しないメッシュシートを身体側アルミニウム板１５の表面に積層してもよい。
この身体側アルミニウム板１５の先端部には、温度センサ１７が固定されている。
【００２６】
また、ペルチェ素子１１のＮ型熱電半導体１１ｂには、熱伝導両面テープ１２を介して、ペルチェ素子１１より大判で矩形状の厚さ１ｍｍの加熱側アルミニウム板１８が貼着されている。加熱側アルミニウム板１８の裏面(内面)には、ペルチェ素子１１を囲むように矩形枠状の第１のマグネットテープ１９が接着されている。
さらに、ペルチェ素子１１のＮ型熱電半導体１１ｂには、このＮ型熱電半導体１１ｂとの間で熱交換を行う水（熱媒体）２０が充填された熱交換パック２１と、バッテリＢと、制御手段２２とが配設された交換ユニット２３が、第１のマグネットテープ１９と第２のマグネットテープ２５との磁力を介して、着脱自在に設けられている。なお、ペルチェ素子１１と交換ユニット２３との着脱には、マグネットの他に、例えば、面ファスナ、クリップ、凹凸嵌合構造などを採用することができる。
【００２７】
以下、交換ユニット２３ついて詳しく説明する。
交換ユニット２３は、加熱側アルミニウム板１８と同一形状、同一サイズの交換側アルミニウム板２４を有している。交換側アルミニウム板２４の表面（外面）には、所定箇所に表裏面を貫通した図示しない切欠部を有する第２のマグネットテープ２５が接着されている。また、交換側アルミニウム板２４の表面の一方の側部全域には、ポリプロピレンからなる矩形容器状の熱交換パック２１が、図示しない掛止フックによって着脱自在に取り付けられている。なお、掛止フックの他に、例えば面ファスナ、凹凸嵌合構造などを介して、交換側アルミニウム板２４と熱交換パック２１とを着脱自在に取り付けてもよい。熱交換パック２１の第２のマグネットテープ２５側の面は、その一部が前記切欠部を介して交換側アルミニウム２４に直に接触している。
【００２８】
交換側アルミニウム板２４の表面の他方の側部には、バッテリＢとペルチェ素子１１の温度コントローラ２９を含む身体冷暖房装置１０の制御手段２２とが並設されている（図１および図２）。このうち、バッテリＢは交換側アルミニウム板２４に対して図示しない別の掛止フックを介して着脱自在に取り付けられている。また、制御手段２２は交換側アルミニウム板２４に固定されて、リモコン２６の無線操作により、冷暖房の切換え、温度設定、運転時間を変更できるように構成されている。
【００２９】
次に、図２のブロック図を参照して、この身体冷暖房装置１０の制御手段２２を具体的に説明する。
制御手段２２はＣＰＵを内蔵し、その入力ポートには、温度センサ１７と、温度調整用のリモコン２６からの運転オンオフ信号、冷暖房切換え信号、設定温度信号および運転時間信号を受信するための受信部２７と、タイマ２８と、バッテリＢとが電気的に接続されている。また、制御手段２２の出力ポートには、ペルチェ素子１１と、温度コントローラ２９とが電気的に接続されている。制御手段２２の出力ポートには、ペルチェ素子１１を電気的に着脱自在に構成するための図示しないコネクタが設けられている。交換ユニット２３の着脱時には、コネクタを介して、ペルチェ素子１１が電気的に接続または接続解除される。
【００３０】
リモコン２６から無線送信された運転オンオフ信号および温度管理信号（冷暖房切換え信号、設定温度信号および運転時間信号）を受信部２７が受信すると、これらの信号は制御手段２２に送信される。その後、制御手段２２から温度コントローラ２９へ運転オンオフ信号および温度管理信号に基づく制御信号が送信されることにより、ペルチェ素子１１への通電および通電停止の切換え、ペルチェ素子１１の加熱側と放熱側との切換え、ペルチェ素子１１の身体側の設定温度の変更、タイマ２８を利用しての身体冷暖房装置１０の運転時間の変更がなされる。
【００３１】
次に、図１および図２を参照して、この発明の実施例１に係る身体冷暖房装置１０の使用方法を説明する。
身体冷暖房装置１０を使用する際には、まず加熱側アルミニウム板１８と交換側アルミニウム板２４とを重ね合わせ、この状態で第１のマグネットテープ１９と第２のマグネットテープ２５とを介して、交換ユニット２３を身体冷暖房装置１０の本体部分に磁着する。
その後、肌に対して低刺激の両面粘着テープ（図示せず）を利用して、弾性シート材１３の身体側アルミニウム板１５の表面を、身体の所定位置に直接または衣服を介して間接的に貼着することにより、身体冷暖房装置１０を身体に装着する。このとき、ペルチェ素子１１のＰ型熱電半導体１１ａ側の面に、熱伝導性を有した弾性シート材１３を固定しているため、ペルチェ素子１１を身体に押し当てた際、弾性シート材１３がその押し当てられた身体箇所の湾曲に合わせて弾性変形する。これにより、身体冷暖房装置１０の使用感を高めることができる。
【００３２】
次いで、この状態でリモコン２６の運転開始スイッチを入れる。これにより、リモコン２６の発信部（図示せず）から運転開始信号が発信され、これを身体冷暖房装置１０の受信部２７が受信する。受信した運転開始信号は制御手段２２に送られ、ここから温度コントローラ２９へ運転開始指令が伝達され、ペルチェ素子１１にバッテリＢから電流が流れる。その結果、ペルチェ素子１１の身体側（吸熱側）に配されたＰ型熱電半導体１１ａが１８℃〜２２℃に冷却され、弾性シート材１３を介して身体の一部が冷やされる。
一方、ペルチェ素子１１の加熱側に配されたＮ型熱電半導体１１ｂは、３１℃〜３４℃に加熱される。その後もペルチェ素子１１への通電を継続することにより、Ｎ型熱電半導体１１ｂの温度はさらに上昇する。しかしながら、Ｎ型熱電半導体１１ｂには、加熱側アルミニウム板１８と交換側アルミニウム板２４と介して、熱交換パック２１が連結されているため、Ｎ型熱電半導体１１ｂの熱は熱交換パック２１に充填された水２０と熱交換される。
【００３３】
これにより、Ｎ型熱電半導体１１ｂは冷やされ、過剰な温度上昇が抑えられる。その結果、このＮ型熱電半導体１１ｂの過剰な温度上昇を原因とした、Ｐ型熱電半導体１１ａの冷却効果の低下を防止するとともに、ペルチェ素子自体の破損、焼損を防止することができる。
また、身体側アルミニウム板１５の表面にセラミックス１６がコーティングされているため、装置使用時、仮に金属アレルギーの使用者が、弾性シート材１３の身体側の面を直接肌に押し当てても、金属アレルギーを発症しにくい。
また、セラミックス１６のコーティング法として衝撃焼結被覆法を採用したため、被覆材料のセラミック１６の組織をほとんど壊さず、昇華、分解、変態しない皮膜を身体側アルミニウム板１５の表面に形成することができる。
【００３４】
なお、身体冷暖房装置１０において、ペルチェ素子１１の吸熱側と加熱側との切換、設定温度の変更、運転時間の変更を行う場合には、リモコン２６を適宜ボタン操作する。これにより、リモコン２６の送信部から無線送信された温度管理信号（冷暖房切換え信号、設定温度信号および運転時間信号）を身体冷暖房装置１０の受信部２７が受信し、その後、制御手段２２に送信される。ここから温度コントローラ２９へ温度管理信号に基づく各制御信号が送信されて、ペルチェ素子１１の加熱側と放熱側との切換え、ペルチェ素子１１の身体側の設定温度の変更、タイマ２８を利用しての身体冷暖房装置１０の運転時間の変更が適宜行われる。
【００３５】
次に、図３〜図５を参照して、この発明の実施例２に係る治療器を説明する。
図３および図４に示すように、実施例２に係る治療器３０は、冷温器としての実施例１の身体冷暖房装置１０と、身体冷暖房装置１０を身体に着脱自在に取り付ける装着ベルト３１とを備えている。
【００３６】
以下、これらの構成体を具体的に説明する。
この身体冷暖房装置１０は、患部を冷却または加熱することにより、患部を冷やして発熱を抑えたり、患部を温めて血流を改善する冷温器である。
装着ベルト３１は、身体に巻き付けられる長さ方向に直交する断面が袋状のベルト本体３２と、身体冷暖房装置１０に長さ方向の中間部が固定されて、その長さ方向の両端部がベルト本体３２の両側部分から突出状態で、ベルト本体３２の内部空間にスライド自在に収納される装置横移動用ベルト３３とを有している。
【００３７】
以下、これらの構成体を具体的に説明する。
図３および図４に示すように、ベルト本体３２は、装着ベルト３１の本体部分を構成して、長さ方向に直交する断面がリップ付溝形鋼状となった合成皮革からなるものである。ベルト本体３２の一端部の内側面と、ベルト本体３２の他端部の外側面とには、互いに掛止される雄型面ファスナ３４および雌型面ファスナ３５の何れか一方ずつが縫着されている。
ベルト本体３２は、断面がリップ付溝形鋼状であるため、ベルト本体３２の身体冷暖房装置１０側の面には、その全長にわたって横長な袋口部３６が形成されている。身体冷暖房装置１０は、この袋口部３６に挿通される固定部材３７を介して、装置横移動用ベルト３３に固定されている。ベルト本体３２の両端部には、装置横移動用ベルト３３の両端部を外方へ引き出すため、一対のベルト通し口３８が形成されている。
装置横移動用ベルト３３は、ベルト本体３２より長尺な合成皮革からなるもので、各ベルト通し口３８から両端部が突出している。
【００３８】
次に、図５を参照して、この発明の実施例２に係る治療器３０の使用方法を説明する。
例えば、左右の肩甲骨の中間部に打撲傷がある場合には、実施例１で使用した両面粘着テープを使用せず、身体冷暖房装置１０の弾性シート材１３を背中に直接押し当て、この状態のまま、胸の前でベルト本体３２の両端部を重ね合わせて雄型面ファスナ３４と雌型面ファスナ３５とを掛止する。これにより、治療器３０が胸部に装着される。
【００３９】
その後、装置横移動用ベルト３３の露出した両端部を握り、装置横移動用ベルト３３を右左に引っ張って身体冷暖房装置１０を横移動させる。これにより、身体冷暖房装置１０を患部に正確に位置合わせして、患部に冷温治療を施すことができる。
なお、身体冷暖房装置１０の例えば弾性シート材１３に磁気治療用のマグネット（図示せず）を埋め込んだり、例えば弾性シート材１３の表面に電気治療（低周波治療、ラジオ波治療、高周波治療）用の電極(図示せず)を配置することにより、治療器３０に冷温治療機能だけでなく、別の治療機能を追加することもできる。
その他の構成、作用および効果は、第１実施例と略同じであるため、説明を省略する。
【００４０】
次に、図６〜図８を参照して、この発明の実施例３に係る治療器を説明する。
図６および図７に示すように、実施例３の治療器３０Ａの特徴は、実施例１の装着ベルト３１に代えて、たすき掛け方式の装着ベルト３１Ａを採用した点である。
【００４１】
この装着ベルト３１Ａは、左右の肩の周りに通される左右一対の肩通しリングベルト３９と、各肩通しリングベルト３９の前側部分に横架される胸側横架ベルト４０と、各肩通しリングベルト３９の後ろ側部分に横架される背中側横架ベルト４１とを有している。
各肩通しリングベルト３９は、合成皮革からなる円環状のものである。
胸側横架ベルト４０は、断面がリップ付溝形鋼状の合成皮革からなる胸側部分ベルト本体４２と、合成皮革からなり、長さ方向の両端部が胸側部分ベルト本体４２の両側部分のベルト通し口３８から突出状態で、胸側部分ベルト本体４２の内部空間にスライド自在に収納される胸側部分移動用ベルト４３とを有している。胸側横架ベルト４０の両端部には、対応する肩通しリングベルト３９の通しリング部４４が配設されている。
【００４２】
また、背中側横架ベルト４１は、断面がリップ付溝形鋼状の合成皮革からなる背中側部分ベルト本体４５と、合成皮革からなり、長さ方向の両端部が背中側部分ベルト本体４５の両側部分のベルト通し口３８から突出状態で、背中側部分ベルト本体４５の内部空間にスライド自在に収納される背中側部分移動用ベルト４６とを有している。背中側横架ベルト４１の両端部には、対応する肩通しリングベルト３９の通しリング部４４が配設されている。
また、背中側部分移動用ベルト４６の長さ方向の中間部には、その身体側の面に、図示しない面ファスナを介して、身体冷暖房装置１０が着脱自在に取り付けられている。
【００４３】
次に、図８を参照して、この発明の実施例３に係る治療器３０Ａの使用方法を説明する。
各肩通しリングベルト３９を使用者（患者）の左右の肩に通すとともに、胸の前には胸側横架ベルト４０を配置し（図５（ａ））、背中には背中側横架ベルト４１を配置する(図５（ｂ）)。これにより、身体冷暖房装置１０を背中に押し当てた状態で、装着ベルト３１Ａが胸部にたすき掛けされる。
その後、身体冷暖房装置１０を左右方向に移動させたい場合には、背中側部分移動用ベルト４６の露出した両端部を握り、背中側部分移動用ベルト４６を右左に引っ張って身体冷暖房装置１０を横移動させる。
【００４４】
また、身体冷暖房装置１０を上下方向に移動させたい場合には、背中側部分ベルト本体４５の両側部分のベルト通し口３８を介して、背中側横架ベルト４１を、左右の肩通しリングベルト３９をガイドにして上方または下方へ水平に移動させる（なお、胸側横架ベルト４０も同様に操作して上下移動させる）。これにより、身体冷暖房装置１０を患部に対して、横方向だけでなく縦方向にも適宜移動させることができ、その結果、身体冷暖房装置１０をより正確に位置合わせして、患部に冷温治療を施すことができる。
なお、使用者の胸側の患部を治療したい場合には、まず面ファスナの掛止状態を解除し、身体冷暖房装置１０を背中側部分移動用ベルト４６の長さ方向の中間部から取り外す。その後、図示しない面ファスナを介して、身体冷暖房装置１０を胸側部分移動用ベルト４３の長さ方向の中間部に着脱自在に取り付ける。
その他の構成、作用および効果は、実施例２から推測可能な範囲であるため、説明を省略する。
【産業上の利用可能性】
【００４５】
この発明は、ペルチェ素子を利用し、身体を冷却または加熱する技術として有用である。
【符号の説明】
【００４６】
１０  身体冷暖房装置、
１１  ペルチェ素子、
１１ａ  Ｐ型熱電半導体（一方の金属）、
１１ｂ  Ｎ型熱電半導体（残った方の金属）、
１３  弾性シート材、
１５  身体側アルミニウム板（熱伝導性金属）、
１６  セラミックス、
２０  水（熱媒体）、
２１  熱交換パック、
３０，３０Ａ  治療器、
３１，３１Ａ  装着ベルト、
３２  ベルト本体、
３３  装置横移動用ベルト、
４２  胸側部分ベルト本体（ベルト本体）、
４３  胸側部分移動用ベルト（装置横移動用ベルト）、
４５  背中側部分ベルト本体（ベルト本体）、
４６  背中側部分移動用ベルト（装着横移動用ベルト）、
Ｂ  バッテリ（電源）。
【図１】
2018000838.tif 000003
【図２】
2018000838.tif 000004
【図３】
2018000838.tif 000005
【図４】
2018000838.tif 000006
【図５】
2018000838.tif 000007
【図６】
2018000838.tif 000008
【図７】
2018000838.tif 000009
【図８】
2018000838.tif 000010